(57)【要約】【課題】素早く分離又は組立てることができる組立式箸を提供する。【解決手段】パイプの一端が封じられ別の一端に開口部１１が設けられる嵌めるパイプ１と、ロッドの両端が封じられ、又その後部に階段式嵌合部２１が設けられる嵌めるロッド２と、を備え、嵌めるパイプ１及び嵌めるロッド２を利用して、嵌めるロッド２にある階段式嵌合部２１を開口部１１と緊密に接続することで、素早く伸ばす状態を呈することが可能で、嵌めるパイプ１を嵌めるロッド２と分離する場合、嵌めるロッド２を逆方向で嵌めるパイプ１の開口部１１に挿入して、嵌めるロッド２を緊密に嵌めるパイプに収納することで、箸本体の長さを縮めて便利に収納が可能である。【選択図】図１
0003120189.tif 000002
【実用新案登録請求の範囲】
【請求項１】
嵌めるパイプ及び嵌めるロッドを備え、素早く箸を分離又は組立てて、伸ばし又は収納する状態を呈する箸であって、
嵌めるパイプは、パイプの一端が封じられ、別の一端に開口部が設けられ、
嵌めるロッドは、ロッドの両端が封じられ、又、その後部に階段式嵌合部が設けられ、
前記嵌めるパイプ及び前記嵌めるロッドを利用して、嵌めるロッドにある階段式嵌合部を開口部と緊密に接続され、素早く伸ばす状態を呈する組立式箸を構成することが可能であり、嵌めるパイプを嵌めるロッドと分離する場合、嵌めるロッドを逆方向で嵌めるパイプの開口部に挿入して、前記嵌めるロッドを緊密に嵌めるパイプに収納することにより、箸本体の長さを縮めて便利に収納が可能であることを特徴とする組立式箸。
【請求項２】
前記嵌めるパイプの本体は箸前部の形状に類似しており、徐々に縮む状態を呈する錐形状パイプであり、前記パイプは封じる端から開口部まで徐々に縮む状態を呈することを特徴とする請求項１に記載の組立式箸。
【請求項３】
前記嵌めるロッドは箸後部の形状に類似しており、錐形状の伸ばす状態を呈する中空又は中実のロッドであることを特徴とする請求項１に記載の組立式箸。
【請求項４】
前記嵌めるロッドにある階段式嵌合部は、部分の嵌合パイプを取ってから、その一端が封じられている嵌合パイプを嵌めるロッドに挿入して結合することにより、階段式嵌合部を構成し、前記嵌合パイプを緊密に嵌めるロッドに挿入した後、前記嵌めるロッドの開口部の壁を圧延してかしめることにより、それを結合させることを特徴とする請求項１に記載の組立式箸。
【請求項５】
前記嵌めるロッドの後部にある階段式嵌合部が嵌めるロッドと一体成型されていることを特徴とする請求項１に記載の組立式箸。
【請求項６】
前記嵌めるパイプ及び嵌めるロッドは丸形のパイプ又はロッド形状を用いることを特徴とする請求項１に記載の組立式箸。
【請求項７】
前記嵌めるパイプ及び嵌めるロッドは楕円形のパイプ又はロッド形状を用いることを特徴とする請求項１に記載の組立式箸。
【請求項８】
前記嵌めるパイプ及び嵌めるロッドは平たい方形のパイプ又はロッド形状を用いることを特徴とする請求項１に記載の組立式箸。
【請求項９】
前記嵌めるロッドの末端部に複数の凹み跡を設けることを特徴とする請求項１に記載の組立式箸。
【請求項１０】
前記嵌めるパイプ及び嵌めるロッドは金属又は非金属、又は、２種類の異なる材質を使ってそれぞれ形成されていることを特徴とする請求項１に記載の組立式箸。
【考案の詳細な説明】
【技術分野】
【０００１】
本考案は箸の構造改良設計に関するものである。特に素早く取外し及び組立てることができる組立式箸を指すものである。
【背景技術】
【０００２】
箸は中国人の知恵を具体的に実現したものである。それは２本を一膳として、食物を挟んで食べる時に使われる。従来の箸は殆ど１本ずつが一体成型で作られ、その材質が特定されない。例えば、その材質は竹、木材、プラスチック、金属などを含むが、従来の箸が特定な長さを持つので、箸を収納してから携帯する場合、とても不便になる。
従来の箸にも色々な組立式があるが、それは殆ど箸の本体を２部分に分けて、その後部を予め前部の中に収納することで、後部の箸を完全に取出す前に、箸の後部の末端を箸の前部の出口部にラッチすることで、伸ばし状態の箸を組立てるが、箸の後部を押して、箸の前部に戻る場合、その箸が短縮した収納状態を呈するので、前部、後部の箸を取出す又は戻す場合、すべて相互に嵌めて分離しない状態を呈する。そのため、加工、製造が難しく、コストも高い。更に、その嵌める端に屑、塵などが積もりやすく、きれいに洗いにくく、箸の前部から離れると、その箸が壊れて使えない状態を呈する。
【考案の開示】
【考案が解決しようとする課題】
【０００３】
本考案の主要な目的は、組立式箸を提供するものである。それは素早く分離又は組立てることができる嵌めるパイプ及び嵌めるロッドで箸の本体を構成する。更に、２本を一膳として食物を挟んで食べる時に使われる。又、その嵌めるパイプはパイプの一端を封じ、別の一端に開口部を設けるパイプであり、その嵌めるロッドはロッドの両端に封じる状態及び錐形状の伸ばす状態を呈する中空ロッドであり、又、その後部に一つの階段式嵌合部を設けて、階段式嵌合部を開口部と緊密に接続することで、伸ばす状態を呈する組立式箸を構成し、分離する場合、嵌めるロッドを逆方向で嵌めるパイプの開口部に挿入することで、嵌めるロッドを素早く嵌めるパイプに収納できるので、箸本体の長さを縮めて便利に収納することができる。又、その全体的の構成が簡単で、加工、製造が便利なので、コストダウンを実現でき、便利に洗えるので、屑、塵などが積もる虞がないのである。
【０００４】
本考案のもう一つの目的は、組立式箸を提供するものである。その嵌めるロッドの後部に設ける階段式嵌合部は、嵌めるロッドと一体成型するほか、部分の嵌合パイプを取ってから、その嵌合パイプを嵌めるロッドに挿入して結合することで、一つの階段式嵌合部を構成することもできるので、加工、製造を簡単化になることができる。
本考案のさらにもう一つの目的は、組立式箸を提供するものである。その嵌めるパイプ及び嵌めるロッドのパイプ本体又はロッドの形状が特定されないので、例えば、円形、楕円形、平たい方形又は任意形状のパイプロッドを用いても良い。
【０００５】
本考案のまたさらにもう一つの目的は、組立式箸を提供するものである。必要によって、その嵌めるパイプ及び嵌めるロッドは金属又は非金属の材質で作られ、又は、２種類の異なる材質を使ってそれぞれ嵌めるパイプ又は嵌めるロッド（例えば嵌めるパイプは非金属を用いて、嵌めるロッドは金属の材質を用いる）を作るので、自由に組立てることができる。
【課題を解決するための手段】
【０００６】
組立て式箸に関するものである。特に素早く取外し及び組立てることができる組立式箸を指すものである。それは２本を一膳として食物を挟んで食べる時に使われる。その組立式箸は主に一つの嵌めるパイプ及び一つの嵌めるロッドを接続して構成する。又、その嵌めるパイプの一端を封じ、別の一端に開口部を設け、その嵌めるロッドはロッドの両端が封じられている中空ロッドであり、又、その後部に一体成型又は挿入して結合される階段式嵌合部を設けることで、その製造を簡単化させる。又、その階段式嵌合部を開口部と緊密に接続することで、伸ばす状態を呈する組立式箸を構成する。その嵌めるロッドの本体は錐形状で伸ばす状態を呈するので、それを取外した後、嵌めるロッドを逆方向で嵌めるパイプの開口部に挿入することで、嵌めるロッドを素早く嵌めるパイプに収納できるので、箸本体の長さを縮めて便利に収納することができる。
【考案を実施するための最良の形態】
【０００７】
図１から図４は本考案の第一実施例による「組立て式箸」である。その構成は、一つの嵌めるパイプ１及び嵌めるロッド２を備え、それはすべて金属材質で作られるので、素早く分離又は組立てることで、伸ばす又は収納状態を呈する箸本体を構成し、それは２本を一膳として食物を挟んで食べる時に使われる。
その中に嵌めるパイプ１があり、その嵌めるパイプはパイプの一端が封じられ、別の一端に開口部１１が設けられるパイプであり、そのパイプ本体は箸前部の形状を真似して、だんだん縮む状態を呈する錐形状パイプであり、そのパイプは封じる端１２から開口部１１までだんだん縮む状態を呈する。
【０００８】
嵌めるロッド２があり、その嵌めるロッドはロッドの両端は封じられ、箸後部の形状を真似して、錐形状の伸ばす状態を呈する中空（必要である場合、中実ロッドを用いても良いのである）のロッドである。その嵌めるロッドの後部に一つの階段式嵌合部２１が設けてあり、その階段式嵌合部２１の部分の嵌合パイプａ（図１、図２参照）を取ってから、その一端が封じられている嵌合パイプａを嵌めるロッド２に挿入して結合することで、階段式嵌合部２１を構成する。その結合方式によって、その嵌合パイプａを緊密に嵌めるロッド２に挿入した後、その嵌めるロッド２の開口部の壁を圧延してかしめる（図３のようなかしめ跡２２が形成される）ことで、嵌めるロッド２の壁に一つの階段式嵌合部２１を構成する。
【０００９】
上述の嵌めるパイプ１及び嵌めるロッド２を利用して、嵌めるロッド２にある階段式嵌合部２１を嵌めるパイプ１の開口部１１と緊密に接続することで、素早く伸ばす状態を呈する組立式箸１０（図１、図４参照）を構成することができるし、嵌めるパイプ１を嵌めるロッド２と分離する場合、嵌めるロッド２を逆方向で嵌めるパイプ１の開口部１１に挿入して、その嵌めるロッド２を緊密に嵌めるパイプ１に収納することで、収納状態を呈する組立式箸１０ａを構成する（図２、図３参照）。それによって、箸本体の長さを縮めて便利に収納することができる。又、その全体的の構成が簡単で、加工、製造が便利なので、コストダウンを実現できるし、便利に洗えるので、屑、塵などが積もる虞がないのである。
【００１０】
図５、図６は、本考案の第二実施例である。嵌めるロッド２ａの後部に設ける階段式嵌合部２１ａを嵌めるロッド２ａと一体成型で作っても良いが、階段式嵌合部２１ａを備えて、嵌めるパイプ１の開口部１１と緊密に接続することが必要な情景である。
上述の嵌めるパイプ１及び嵌めるロッド２において嵌めるパイプのパイプ本体又はロッド本体の形状が特定されないので、第三実施例としての組立て式箸は、図７のような楕円形のパイプ１ｂ及びロッド２ｂを用いて、やや平たい楕円形の組立式箸を構成しても良い。又、第四実施例としての組立て式箸は、図８、図９に示す通り、それは別の一つの平たい方形を呈する組立式箸でもよい。その差異は、嵌めるパイプ１ｃ及び嵌めるロッド２ｃは予定の平たい方形が作られるが、その構造、組立及び使用方式はすべて前述の実施例と同一なので、ここで述べない。
【００１１】
本考案の実施例の嵌めるパイプ１及び嵌めるロッド２は、二つの独立のステンレスパイプ及びロッドを用い、適切なテーパーで接続するので、その外観構造の表面が平滑で、何らかの突出する接続部分がないので、使用又は携帯する場合、屑、塵などが積もる虞がなく、使用後、箸を洗いやすいので、衛生及び安全を備える。
又、安定に食物を挟むため、嵌めるロッド２の末端に従来の箸を真似して、複数の凹み跡２１１を設けることができる。
【００１２】
上述の設計によって、本考案の実施例の組立て式箸を作る場合、その材質が制限されない。即ち、嵌めるパイプ１、１ｂ、１ｃ又は嵌めるロッド２、２ａ、２ｂ、２ｃは必要によって、金属又は非金属を用いて作るか、異なる材質を用いて、それぞれ嵌めるパイプ又は嵌めるロッド（例えば、１、１ｂ又は１ｃは非金属材質を用いて嵌めるロッド２、２ａ２ｂ、または２ｃは金属材質を用いる）を作ることで、自由に組立てることができる。
上述の実施例に記載されるものは、本考案の主要な技術に対し、例を挙げて説明するだけで、それによって、本考案の技術範囲を制限することではないので、その技術を利用して、同一効果のある応用、又は、上述の技術手段を利用して、簡単な変更又は取替えを行うことは、すべて本考案の技術範囲に属することと見なされる。
【図面の簡単な説明】
【００１３】
【図１】本考案の第一実施例による組立て式箸の斜視図及び分解斜視図である。
【図２】本考案の第一実施例による組立て式箸の収納前及び収納後を示す斜視図である。
【図３】本考案の第一実施例による組立て式箸を伸ばして組立てる状態を示す部分断面図である。
【図４】本考案の第一実施例による組立て式箸の収納状態を示す部分断面図である。
【図５】本考案の第二実施例による組立て式箸の斜視図及び分解斜視図である。
【図６】本考案の第二実施例による組立て式箸の嵌めるロッド及び階段式嵌合部の断面図である。
【図７】本考案の第三実施例による組立て式箸の断面図である。
【図８】本考案の第四実施例による組立て式箸の斜視図及び分解斜視図である。
【図９】本考案の第四実施例による組立て式箸収納前及び収納後を示す斜視図である。
【符号の説明】
【００１４】
１、１ｂ、１ｃ  嵌めるパイプ、２、２ａ、２ｂ、２ｃ  嵌めるロッド、１１  開口部、１２  封じる端、ａ  嵌合パイプ、２１、２１ａ  階段式嵌合部、２２  かしめ跡、１０、１０ａ  組立式箸、２１１  凹み跡
【図１】
0003120189.tif 000003
【図２】
0003120189.tif 000004
【図３】
0003120189.tif 000005
【図４】
0003120189.tif 000006
【図５】
0003120189.tif 000007
【図６】
0003120189.tif 000008
【図７】
0003120189.tif 000009
【図８】
0003120189.tif 000010
【図９】
0003120189.tif 000011